(57)【要約】【課題】閉蓋時に高いロック強度が得られる蓋付き箱を提供することを目的としている。【解決手段】箱本体１１と蓋体１５とを備える蓋付き箱１であって、蓋体１５の縁壁１０６（第１壁）には延在内縁を有した凹部が設けられ、箱本体１１の重複壁部分１４０（第２壁）が、山折り目１２１で折り畳まれた二重壁であり、外壁１２２にスリット１０３が形成され、山折り目１２１が、閉蓋時に縁壁１０６（第１壁）へと向かって凸となるように曲折した曲り折り目１２１ｃを有しており、山折り目１２１で折り畳まれて二重壁が形成されることで、スリット１０３の対向する内縁における山折り目１２１に近い側の内縁が突出端縁となっており、当該突出端縁が、閉蓋時には凹部１０７に進入してその延在内縁に係止する。【選択図】図２
2019131213.tif 000002
【特許請求の範囲】
【請求項１】
有底筒状の箱本体と、当該箱本体の開口を開閉自在に覆う蓋体と、を備える蓋付き箱であって、
前記蓋体が、閉蓋時に前記開口を覆う蓋壁と、前記閉蓋時には前記箱本体の周壁における重複壁部分に外側から重なるように、前記蓋壁の周縁の少なくとも一部に立設された縁壁と、を備え、
前記縁壁及び前記重複壁部分のうちの第１壁には、前記蓋体の開閉方向に対する交差方向に延在する延在内縁を有した凹部又は孔部が設けられ、
前記縁壁及び前記重複壁部分のうちの第２壁が、前記縁壁における前記蓋壁とは反対側の端縁又は前記重複壁部分における前記開口側の端縁を山折り目として折り畳まれた二重壁又は当該二重壁の間に他の壁部分が挟まれた多重壁であり、
前記二重壁における一方の壁には、前記交差方向に少なくとも一部が延在するスリットが形成され、
前記山折り目が、前記一方の壁に沿うとともに前記山折り目に直交する方向から見たときに少なくとも一部が前記スリットと重なる範囲に、前記閉蓋時に前記第１壁へと向かって凸となるように湾曲又は曲折した曲り折り目を有しており、
前記山折り目で折り畳まれて前記二重壁が形成されることで、前記スリットの対向する内縁のうち前記山折り目に近い側の内縁が、前記曲り折り目に沿って、前記閉蓋時に前記第１壁へと向かう方向に突出した突出端縁となっており、当該突出端縁が、前記閉蓋時には前記凹部又は前記孔部に進入して前記延在内縁に係止することを特徴とする蓋付き箱。
【請求項２】
前記山折り目は、前記二重壁における前記一方の壁の端縁と、当該一方の壁と対面する他方の壁の端縁と、を各々が構成するように互いに並走して延びる２本の折り目を有しており、
前記曲り折り目は、前記２本の折り目のうち、前記一方の壁の端縁をなす折り目に設けられていることを特徴とする請求項１に記載の蓋付き箱。
【請求項３】
前記２本の折り目のうち、前記他方の壁の端縁をなす折り目には、前記曲り折り目に対応した位置で当該曲り折り目とは反対側に凸となるように湾曲又は曲折した逆曲り折り目が設けられていることを特徴とする請求項２に記載の蓋付き箱。
【請求項４】
前記曲り折り目が、前記山折り目の全長に亘って設けられていることを特徴とする請求項１〜３のうち何れか一項に記載の蓋付き箱。
【請求項５】
前記閉蓋時における前記延在内縁に対する前記突出端縁の係止を、ユーザに押圧されることで前記延在内縁及び前記突出端縁のうちの一方を、他方から離す方向へと案内して解除する係止解除部が、前記延在内縁の近傍又は前記突出端縁の近傍に設けられていることを特徴とする請求項１〜４のうち何れか一項に記載の蓋付き箱。
【請求項６】
前記蓋体は、前記蓋壁の前記周縁の一部が前記箱本体の前記開口の縁に連結され、その連結箇所をヒンジ中心として回動されるものであることを特徴とする請求項１〜５のうち何れか一項に記載の蓋付き箱。
【発明の詳細な説明】
【技術分野】
【０００１】
本発明は、蓋付き箱に関する。
【背景技術】
【０００２】
従来、例えば物品の収容に利用される箱として、有底筒状の箱本体と、この箱本体の開口を開閉自在に覆う蓋体と、を備える蓋付き箱が広く用いられている（例えば、特許文献１参照。）。特許文献1に記載の蓋付き箱では、箱本体の側壁における開口側の端縁に蓋体係止用舌片が設けられ、閉蓋時には、この蓋体係止用舌片が、蓋体の内側に設けられた係止用舌片係合部に係止して不用意に蓋体が開かないようロックする構成となっている。
【先行技術文献】
【特許文献】
【０００３】
【特許文献１】特許第４５３６８８１号公報
【発明の概要】
【発明が解決しようとする課題】
【０００４】
ここで、上述したような蓋付き箱は、しばしば物品が収容されて蓋体が閉じられた状態で持ち運ばれるが、このとき閉蓋状態の蓋体が手掛かりとして利用される場合がある。このような場合には、収容されている物品の重量が、箱本体と蓋体とのロック構造に掛かることとなる。このとき、収容される物品が重量物である場合もあり、現状の蓋付き箱には、蓋体のロック強度の面で改善の余地が見られる。
【０００５】
本発明は、かかる問題を解決することを目的としている。即ち、本発明は、閉蓋時に高いロック強度が得られる蓋付き箱を提供することを目的としている。
【課題を解決するための手段】
【０００６】
上記目的を達成するために、本発明の蓋付き箱は、有底筒状の箱本体と、当該箱本体の開口を開閉自在に覆う蓋体と、を備える蓋付き箱であって、前記蓋体が、閉蓋時に前記開口を覆う蓋壁と、前記閉蓋時には前記箱本体の周壁における重複壁部分に外側から重なるように、前記蓋壁の周縁の少なくとも一部に立設された縁壁と、を備え、前記縁壁及び前記重複壁部分のうちの第１壁には、前記蓋体の開閉方向に対する交差方向に延在する延在内縁を有した凹部又は孔部が設けられ、前記縁壁及び前記重複壁部分のうちの第２壁が、前記縁壁における前記蓋壁とは反対側の端縁又は前記重複壁部分における前記開口側の端縁を山折り目として折り畳まれた二重壁又は当該二重壁の間に他の壁部分が挟まれた多重壁であり、前記二重壁における一方の壁には、前記交差方向に少なくとも一部が延在するスリットが形成され、前記山折り目が、前記一方の壁に沿うとともに前記山折り目に直交する方向から見たときに少なくとも一部が前記スリットと重なる範囲に、前記閉蓋時に前記第１壁へと向かって凸となるように湾曲又は曲折した曲り折り目を有しており、前記山折り目で折り畳まれて前記二重壁が形成されることで、前記スリットの対向する内縁のうち前記山折り目に近い側の内縁が、前記曲り折り目に沿って、前記閉蓋時に前記第１壁へと向かう方向に突出した突出端縁となっており、当該突出端縁が、前記閉蓋時には前記凹部又は前記孔部に進入して前記延在内縁に係止することを特徴とする。
【０００７】
本発明の蓋付き箱では、箱本体と蓋体との一方に設けられた突出端縁が他方に設けられた凹部又は孔部に進入してその延在内縁に係止することで、閉蓋時のロック状態が構成される。このとき、突出端縁は、二重壁の山折り目が有する曲り折り目に沿った上記の一方の壁の歪みを利用してスリットの内縁を突出させたものとなっている。このため、この突出端縁は、その先端側から掛かる力に対して高い強度を有するものとなっている。また、本発明の蓋付き箱では、突出端縁が延在内縁に係止するように構成されている。このため、突出端縁と延在内縁との縁どうしの係止によって、点状ではなく線状の広い係止範囲を確保することができる。このように、本発明の蓋付き箱によれば、突出端縁の高い強度と、突出端縁と延在内縁との係止範囲の広さと、の２点により、閉蓋時に高いロック強度を得ることができる。
【０００８】
ここで、本発明の蓋付き箱において、前記山折り目は、前記二重壁における前記一方の壁の端縁と、当該一方の壁と対面する他方の壁の端縁と、を各々が構成するように互いに並走して延びる２本の折り目を有しており、前記曲り折り目は、前記２本の折り目のうち、前記一方の壁の端縁をなす折り目に設けられていることが好適である。
【０００９】
この好適な蓋付き箱によれば、２本の折り目の山折り目を有することで、スリットが設けられる二重壁についても高い強度を得ることができるので、閉蓋時に一層高いロック強度を得ることができる。
【００１０】
また、上記の好適な蓋付き箱において、前記２本の折り目のうち、前記他方の壁の端縁をなす折り目には、前記曲り折り目に対応した位置で当該曲り折り目とは反対側に凸となるように湾曲又は曲折した逆曲り折り目が設けられていることが一層好適である。
【００１１】
この好適な蓋付き箱によれば、逆曲り折り目を設けることにより、上記の一方の壁により大きな歪みを生じさせて突出端縁の突出量を大きくすることができる。これにより、閉蓋時に更に高いロック強度を得ることができる。
【００１２】
また、本発明の蓋付き箱において、前記曲り折り目が、前記山折り目の全長に亘って設けられていることも好適である。
【００１３】
この好適な蓋付き箱によっても、山折り目の全長に亘る曲り折り目により上記の一方の壁により大きな歪みを生じさせて突出端縁の突出量を大きくし、閉蓋時に更に高いロック強度を得ることができる。
【００１４】
また、本発明の蓋付き箱において、前記閉蓋時における前記延在内縁に対する前記突出端縁の係止を、ユーザに押圧されることで前記延在内縁及び前記突出端縁のうちの一方を、他方から離す方向へと案内して解除する係止解除部が、前記延在内縁の近傍又は前記突出端縁の近傍に設けられていることも好適である。
【００１５】
この好適な蓋付き箱によれば、ユーザは、開蓋時における蓋体のロックの解除を、係止解除部を押圧することで容易に行なうことができる。
【００１６】
また、本発明の蓋付き箱において、前記蓋体は、前記蓋壁の前記周縁の一部が前記箱本体の前記開口の縁に連結され、その連結箇所をヒンジ中心として回動されるものであることも好適である。
【００１７】
この好適な蓋付き箱によれば、蓋体が箱本体と一体となっているので蓋体の紛失などの懸念が解消される他、蓋体の開閉を上記の回動という簡単な操作で行うことができる。
【発明の効果】
【００１８】
本発明によれば、閉蓋時に高いロック強度が得られる蓋付き箱を提供することができる。
【図面の簡単な説明】
【００１９】
【図１】本発明の第１実施形態にかかる蓋付き箱を閉蓋状態で示す斜視図である。
【図２】図１に示されている蓋付き箱を、開蓋状態で示す斜視図である。
【図３】蓋体の凹部と、箱本体のスリットと、を拡大して示す図である。
【図４】閉蓋時における箱本体の突出端縁と蓋体の凹部の延在内縁との係止状態を、図１中のＶ１２−Ｖ１２線に沿った断面で示した図である。
【図５】図１〜図４に示されている蓋付き箱を作製するための蓋付き箱展開体を示す図である。
【図６】本発明の第２実施形態における第１実施形態との相違点ついて、蓋付き箱展開体を用いて示す図である。
【図７】本発明の第３実施形態においてロック用のスリットにおける突出端縁を突出させるための構造を示す部分斜視図である。
【図８】図７に示されている二重壁の展開形状を示す図である。
【図９】本発明の第４実施形態における二重壁を示す部分斜視図である。
【図１０】図９に示されている二重壁の展開形状を示す図である。
【図１１】本発明の第５実施形態における二重壁を示す部分斜視図である。
【図１２】図１１に示されている二重壁の展開形状を示す図である。
【発明を実施するための形態】
【００２０】
以下、本発明の一実施形態にかかる蓋付き箱について説明する。まず、第１実施形態について説明する。
【００２１】
（第１実施形態）
図１は、本発明の第１実施形態にかかる蓋付き箱を閉蓋状態で示す斜視図である。また、図２は、図１に示されている蓋付き箱を、開蓋状態で示す斜視図である。
【００２２】
本実施形態の蓋付き箱１は、商品等の包装に用いられる段ボール紙製で直方体形状の紙箱容器である。この蓋付き箱１は、有底四角筒状の箱本体１１と、この箱本体１１の開口１１ａを開閉自在に覆う蓋体１５と、を備えている。蓋体１５は、四角形の開口１１ａの一辺に連結されており、この連結部を回動軸として回動するように構成されている。
【００２３】
図１及び図２には、蓋体１５の回動軸と平行な幅方向に相当するＸ軸方向と、蓋体１５の回動軸側を背面側でその反対側を正面側と見たときの前後方向に相当するＹ軸方向と、箱本体１１の高さ方向に相当するＺ軸方向と、が示されている。
【００２４】
箱本体１１は、四角形板状の底壁１０１と、この底壁１０１の四角形の周縁に立設された周壁１０２と、を備えている。周壁１０２は、蓋体１５が連結された背面壁１１０、背面壁１１０と対面する正面壁１２０、及び、両者を繋ぐ一対の側面壁１３０で構成されている。そして、正面壁１２０、及び一対の側面壁１３０は、各々開口１１ａ側の端縁を山折り目１２１，１３１として折り畳まれた、外壁１２２，１３２と内壁１２３，１３３とが互いに対面した二重壁となっている。
【００２５】
また、本実施形態では、正面壁１２０の山折り目１２１は、正面の外壁１２２の端縁と内壁１２３の端縁と、を各々が構成するように互いに並走して延びる２本の折り目１２１ａ，１２１ｂで構成されている。２本の折り目１２１ａ，１２１ｂの間隔は、基本的に外壁１２２及び内壁１２３を重ね合せた段ボール紙２枚分の厚みに応じた間隔となっている。このような間隔の２本の折り目１２１ａ，１２１ｂで山折り目１２１を構成することで、ある程度の厚みのある段ボール紙の折畳みが可能となっている。
【００２６】
側面壁１３０の山折り目１３１も、同様に側面の外壁１３２の端縁と内壁１３３の端縁と、を各々が構成するように互いに並走して延びる２本の折り目１３１ａ，１３１ｂで構成されている。これらの折り目１３１ａ，１３１ｂの間隔も段ボール紙２枚分の厚みに応じた間隔となっている。
【００２７】
蓋体１５は、閉蓋時に箱本体１１の開口１１ａを覆う四角形板状の蓋壁１０５を備えている。この蓋壁１０５の四角形の周縁のうちの一端縁が、箱本体１１の背面壁１１０の開口１１ａ側の端縁に連結されている。そして、連結箇所である蓋壁１０５と背面壁１１０との境界の折り目１８をヒンジ中心として蓋体１５は回動されて開閉されるようになっている。蓋壁１０５の四角形の周縁のうちこの境界の折り目１８以外の３つの端縁に、閉蓋時には箱本体１１の周壁１０２における重複壁部分１４０に外側から重なるように縁壁１０６が立設されている。縁壁１０６は、正面重複壁部分１４１（第２壁）に重なる正面縁壁１５０（第１壁）、及び、側面重複壁部分１４２に重なる一対の側面縁壁１６０で構成されている。そして、正面縁壁１５０は、次のような多重壁となっている。まず、正面縁壁１５０では、蓋壁１０５とは反対側の端縁を山折り目１５１として折り畳まれて、外壁１５２と内壁１５３とが互いに対面する二重壁が構成されている。さらに、この二重壁の間に側面縁壁１６０から延出した他の壁部分１６１が挟まれて多重壁となっている。
【００２８】
また、本実施形態では、正面縁壁１５０の山折り目１５１は、外壁１５２の端縁と内壁１５３の端縁と、を各々が構成するように互いに並走して延びる２本の折り目１５１ａ，１５１ｂで構成されている。これら２本の折り目１５１ａ，１５１ｂの間隔も段ボール紙２枚分の厚みに応じた間隔となっている。
【００２９】
ここで、この蓋付き箱１には、閉蓋時に蓋体１５が不用意に開かないようにロックするためのロック構造として、次のようなロック構造が設けられている。
【００３０】
まず、蓋体１５において、正面縁壁１５０の内側に凹部１０７が設けられ、そして、この凹部１０７の略中央を貫通するようにロック解除用の貫通孔１０８が設けられている。凹部１０７は、正面縁壁１５０の内壁１５３に開けられた横長の孔である。この横長の孔から見える他の壁部分１６１が凹部１０７の底となっている。貫通孔１０８は、凹部１０７の略中央を外壁１５２と内壁１５３との双方に亘って貫通して設けられている。
【００３１】
他方、箱本体１１においては、正面壁１２０の外壁１２２に、山折り目１２１に向かって開口した略Ｃ字状のスリット１０３が設けられている。そして、このスリット１０３における山折り目１２１に近い側の内縁を突出させておき、閉蓋時には、その突出させた内縁を蓋体１５の凹部１０７の内縁に係止させることで蓋体１５がロックされるようになっている。正面壁１２０の山折り目１２１における正面側の折り目１２１ａには、スリット１０３における上記の内縁を突出させるために外側に凸となった曲り折り目１２１ｃが設けられている。
【００３２】
図３は、蓋体の凹部と、箱本体のスリットと、を拡大して示す図である。この図３にも、図１及び図２と同様のＸ軸方向とＹ軸方向とＺ軸方向とが示されている。
【００３３】
蓋体１５の凹部１０７は、正面縁壁１５０の内壁１５３に設けられ、蓋体１５の開閉方向Ｄ１１に対する交差方向Ｄ１２に延在する延在内縁１０７ａを有した横長の孔である。ここで、本実施形態では、上述したように横長の凹部１０７の略中央に貫通孔１０８が設けられている。この貫通孔１０８は、凹部１０７の幅よりも大径に形成されており、この関係上、凹部１０７における延在内縁１０７ａは、図３に示されているように、貫通孔１０８を左右から挟むように位置している。また、各延在内縁１０７ａは、交差方向Ｄ１２に直線状に延在している。
【００３４】
また、箱本体１１のスリット１０３は、正面壁１２０の外壁１２２に設けられ、交差方向Ｄ１２に延在する横線部分１０３ａと、その両端から山折り目１２１に向かって延在する一対の腕部分１０３ｂと、で構成される略Ｃ字状の切れ込みである。また、このスリット１０３における横線部分１０３ａの略中央部は、山折り目１２１とは反対側に凸の円弧経路を辿っている。さらに、一対の腕部分１０３ｂそれぞれの先端は、略円形状に拡がった孔部となっている。このようなスリット１０３で囲まれた領域は、スリット１０３における山折り目１２１に近い側の内縁で画定された舌片１０４となる。
【００３５】
そして、正面壁１２０の山折り目１２１における正面側の折り目１２１ａに設けられた曲り折り目１２１ｃは、正面側の折り目１２１ａに次のように設けられている。まず、曲り折り目１２１ｃは、正面壁１２０における外壁１２２に沿うとともに山折り目１２１に直交する矢印Ｖ１１方向から見たときに、全体がスリット１０３と重なる範囲Ａｒ１１に設けられている。そして、曲り折り目１２１ｃは、この範囲Ａｒ１１に、箱本体１１の外側に向かって凸に、即ち、閉蓋時に蓋体１５の正面縁壁１５０へと向かって凸となるように曲折した形状を有している。その曲折形状は、上記の範囲Ａｒ１１の一方の端部近傍から外側に向かって斜行した後に折れ曲がって内面側の折り目１２１ｂと並走し、その後、上記の範囲Ａｒ１１の他方の端部近傍へと内側に向かって斜行した台形状となっている。
【００３６】
このような曲り折り目１２１ｃを有する山折り目１２１で折り畳まれて二重壁の正面壁１２０が形成されることで、正面壁１２０の外壁１２２における曲り折り目１２１ｃの近傍部分に、外側に凸となるような歪みが生じる。この歪みによって、上記の舌片１０４が、閉蓋時に蓋体１５の正面縁壁１５０へと向かう外方向Ｄ１３に突出する。スリット１０３の横線部分１０３ａにおける山折り目１２１に近い側の内縁は、このように突出した舌片１０４の先端部１０４ａとなる。尚、本実施形態では、スリット１０３の横線部分１０３ａの略中央部は、山折り目１２１とは反対側に凸の円弧経路を辿っており、これに応じて、先端部１０４ａの略中央部には、半円状に突出した突起部１０４ｂが形成されている。そして、蓋体１５の正面縁壁１５０において凹部１０７の略中央を貫通して設けられた貫通孔１０８から、閉蓋時には先端部１０４ａの突起部１０４ｂが視認されるように構成されている。
【００３７】
そして、箱本体１１において外方向Ｄ１３に突出した先端部１０４ａでは、突起部１０４ｂを左右に挟むようにして一対の突出端縁１０４ｃが位置している。閉蓋時には、これら一対の突出端縁１０４ｃが、蓋体１５の凹部１０７において貫通孔１０８を左右に挟んで位置する一対の延在内縁１０７ａに係止する。本実施形態では、突出端縁１０４ｃも、延在内縁１０７ａと同様に直線状に延在している。
【００３８】
図４は、閉蓋時における箱本体の突出端縁と蓋体の凹部の延在内縁との係止状態を、図１中のＶ１２−Ｖ１２線に沿った断面で示した図である。図４にも、図１及び図２と同様のＸ軸方向とＹ軸方向とＺ軸方向とが示されている。
【００３９】
箱本体１１で、正面壁１２０の外壁１２２における曲り折り目１２１ｃの近傍部分に生じた歪みによって先端部１０４ａが突出した舌片１０４は、図４に断面視で示す次のような形状を有している。即ち、舌片１０４は、曲り折り目１２１ｃを含む正面側の折り目１２１ａから先端部１０４ａへと外方向Ｄ１３に斜行した斜め突出形状を有している。この斜め突出形状は、外壁１２２に生じた歪みによって外方向Ｄ１３に付勢された状態で形成されているので、この付勢力を超える外力が加えられない限り維持される。
【００４０】
このとき、蓋体１５が閉蓋方向Ｄ１１１に閉じられると、まず、舌片１０４における先端部１０４ａが、蓋体１５における正面縁壁１５０の内壁１５３によって内側に押されて舌片１０４が変形して内方向Ｄ１４に引っ込む。やがて、蓋体１５が、先端部１０４ａが凹部１０７の内部に達するまで閉じられると、外壁１２２の歪みによる付勢力で舌片１０４の形状が復元し、先端部１０４ａが蓋体１５の凹部１０７に進入する。このときに、先端部１０４ａにおける一対の突出端縁１０４ｃが、凹部１０７における一対の延在内縁１０７ａに係止する。閉蓋時におけるこの係止により、蓋体１５に閉蓋方向Ｄ１１１とは逆向きの開蓋方向Ｄ１１２の外力が加わっても不用意に蓋体１５が開かないようロックされることとなる。
【００４１】
ここで、図３を参照して述べたように、閉蓋時には、蓋体１５の正面縁壁１５０に設けられた貫通孔１０８から、先端部１０４ａの突起部１０４ｂが視認されるように構成されている。本実施形態では、この突起部１０４ｂが、一対の突出端縁１０４ｃに左右から挟まれるように、この突出端縁１０４ｃの近傍に設けられている。そして、このような位置に設けられた突起部１０４ｂが、貫通孔１０８からユーザによって指で押圧されることで突出端縁１０４ｃを凹部１０７の延在内縁１０７ａから離す内方向Ｄ１４へと案内して係止を解除する係止解除部の役割を担っている。ユーザは、蓋体１５を開きたいときには、貫通孔１０８から視認される突起部１０４ｂを指で押圧して係止を解除しつつ開蓋方向Ｄ１１２に蓋体１５を開くこととなる。
【００４２】
図５は、図１〜図４に示されている蓋付き箱を作製するための蓋付き箱展開体を示す図である。図５にも、図１及び図２と同様のＸ軸方向とＹ軸方向とＺ軸方向とが示されている。この図５には、蓋付き箱展開体２が、箱本体１１を内側から見つつ展開したときの状態で示されている。
【００４３】
この蓋付き箱展開体２は、箱本体１１の展開形状を有する箱本体展開シート２１と、蓋体１５の展開形状を有する蓋体展開シート２５と、を備えている。本実施形態では、蓋体１５が箱本体１１に連結されているので、蓋付き箱展開体２は、蓋体展開シート２５が箱本体展開シート２１に連結された一枚のシート状に形成されている。
【００４４】
箱本体展開シート２１は、底壁１０１を構成する底壁シート部分２０１と、周壁１０２を構成する周壁シート部分２０２と、を備えている。周壁シート部分２０２は、背面壁１１０を構成する背面壁シート部分２１０、正面壁１２０を構成する正面壁シート部分２２０、及び、一対の側面壁１３０を構成する一対の側面壁シート部分２３０を備えている。
【００４５】
背面壁シート部分２１０は、四角形の底壁シート部分２０１の一辺に折り目２１１を境界線として繋がっている。
【００４６】
正面壁シート部分２２０は、二重壁を構成すべく外壁１２２を構成する外壁シート部分２２２と、内壁１２３を構成する内壁シート部分２２３と、を備えている。これら２つのシート部分は、２本の折り目２２１ａ，２２１ｂからなる山折り目２２１を境界線として面一状に繋がっている。正面壁シート部分２２０では、折り畳まれた時の二重壁状態を維持するための構造として、内壁シート部分２２３の一対の側辺に折り目２２５を境界線として一対の耳壁シート部分２２４が面一状に繋がっている。このような正面壁シート部分２２０が、四角形の底壁シート部分２０１の一辺に折り目２２６を境界線として繋がっている。また、各折り目２２５において、内壁シート部分２２３が内側に折り込まれたときに底壁１０１の側となる端部には所定長さの切れ込み２２７が形成されている。
【００４７】
一対の側面壁シート部分２３０それぞれも、二重壁を構成すべく外壁１３２を構成する外壁シート部分２３２と、内壁１３３を構成する内壁シート部分２３３と、を備えている。そして、これら２つのシート部分が、２本の折り目２３１ａ，２３１ｂからなる山折り目２３１を境界線として面一状に繋がっている。このような側面壁シート部分２３０が、四角形の底壁シート部分２０１の対向一対の側辺それぞれに折り目２３４を境界線として繋がっている。また、内壁シート部分２３３の正面壁シート部分２２０の側の側辺において、内壁シート部分２２３が内側に折り込まれたときに底壁１０１の側となる端部には差込突起２３５が形成されている。この差込突起２３５は、内壁シート部分２２３が内側に折り込まれたときに、正面壁シート部分２２０における上記の切れ込み２２７に差し込まれる。また、内壁シート部分２３３の背面壁シート部分２１０の側の側辺において、内壁シート部分２２３が内側に折り込まれたときに底壁１０１の側となる端部には摺接突起２３６が形成されている。この摺接突起２３６は、内壁シート部分２２３が内側に折り込まれたときに、背面壁１１０の内面に摺接する。
【００４８】
そして、背面壁シート部分２１０、正面壁シート部分２２０の外壁シート部分２２２、及び側面壁シート部分２３０の外壁シート部分２３２の側辺が、繋ぎシート部分２４０で折り目２４１を境界線として面一状に繋がっている。繋ぎシート部分２４０は、底壁シート部分２０１の側の角と反対側の角とを結ぶ対角線に形成された折り目２４２で内側に凸に折り込まれるようになっている。
【００４９】
以上に説明した箱本体展開シート２１では、まず、背面壁シート部分２１０、正面壁シート部分２２０、及び一対の側面壁シート部分２３０が、各折り目２１１，２２６，２３４で底壁シート部分２０１に対して折り起こされる。このとき、４つの繋ぎシート部分２４０は、対角線の折り目２４２で内折りに折り込まれる。続いて、正面壁シート部分２２０、及び一対の側面壁シート部分２３０が、各山折り目２２１，２３１で折り畳まれて二重壁が構成される。このとき、内折りに折り込まれた各繋ぎシート部分２４０が、一対ずつ側面壁シート部分２３０の外壁シート部分２３２と内壁シート部分２３３との間に挟み込まれる。また、正面壁シート部分２２０における耳壁シート部分２２４も、繋ぎシート部分２４０と一緒に側面壁シート部分２３０の外壁シート部分２３２と内壁シート部分２３３との間に挟み込まれる。そして、側面壁シート部分２３０の内壁シート部分２３３に設けられた差込突起２３５が、正面壁シート部分２２０に設けられた切れ込み２２７に差し込まれる。一方、差込突起２３５と反対側の摺接突起２３６は、背面壁シート部分２１０の内面に摺接した状態となる。このような箱本体展開シート２１の折り込みによって、上述した箱本体１１が作製される。
【００５０】
蓋体展開シート２５は、蓋壁１０５を構成する蓋壁シート部分２０５と、縁壁１０６を構成する縁壁シート部分２０６と、を備えている。
【００５１】
四角形状の蓋壁シート部分２０５の一辺が、その一辺に形成された折り目２８を境界線として背面壁シート部分２１０と面一状に繋がっている。この境界の折り目２８が、蓋体１５の回動におけるヒンジ中心となる。
【００５２】
縁壁シート部分２０６は、正面縁壁１５０を構成する正面縁壁シート部分２５０（第１シート部分）、及び、一対の側面縁壁１６０を構成する一対の側面縁壁シート部分２６０を備えている。
【００５３】
正面縁壁シート部分２５０は、二重壁を構成すべく外壁１５２を構成する外壁シート部分２５２と、内壁１５３を構成する内壁シート部分２５３と、を備えている。これら２つのシート部分は、２本の折り目２５１ａ，２５１ｂからなる山折り目２５１を境界線として面一状に繋がっている。正面縁壁シート部分２５０では、折り畳まれた時の二重壁状態を維持するための構造として、内壁シート部分２５３において、折り畳まれたときに蓋壁１０５の側を向く端縁に２つの差込突起２５４が設けられている。そして、このような正面縁壁シート部分２５０が、蓋壁シート部分２０５の一辺に設けられた折り目２５５を境界線として面一状に繋がっている。
【００５４】
一対の側面縁壁シート部分２６０それぞれは、四角形の蓋壁シート部分２０５の対向一対の側辺それぞれに折り目２６２を境界線として繋がっている。また、各側面縁壁シート部分２６０における正面縁壁シート部分２５０の側の端縁からは、この端縁に設けられた折り目２６３を境界線として他の壁シート部分２６１が延出している。他の壁シート部分２６１は、正面縁壁シート部分２５０が折り畳まれるときにその外壁シート部分２５２と内壁シート部分２５３との間に挟まれる。これにより、多重壁として正面縁壁１５０が構成される。さらに、他の壁シート部分２６１において、内壁シート部分２５３に隣接する端縁からは、この端縁に設けられた折り目２６４を境界線として中敷き壁シート部分２６５が連結されている。他の壁シート部分２６１が正面縁壁シート部分２５０の外壁シート部分２５２と内壁シート部分２５３との間に挟まれると、中敷き壁シート部分２６５は、内壁シート部分２５３と蓋壁シート部分２０５との間を通って延出する。このとき、他の壁シート部分２６１と中敷き壁シート部分２６５との境界の折り目２６４には切れ込み２６６が設けられている。この切れ込み２６６に、内壁シート部分２５３の差込突起２５４が差し込まれる。これにより、正面縁壁１５０の多重壁状態が維持される。
【００５５】
以上に説明した蓋体展開シート２５では、まず、正面縁壁シート部分２５０、及び一対の側面縁壁シート部分２６０が、各折り目２５５，２６２で蓋壁シート部分２０５に対して折り起こされる。続いて、他の壁シート部分２６１を間に挟みつつ正面縁壁シート部分２５０が山折り目２５１で折り畳まれて多重壁が構成される。そして、正面縁壁シート部分２５０の内壁シート部分２５３に設けられた差込突起２５４が、他の壁シート部分２６１と中敷き壁シート部分２６５との境界に設けられた切れ込み２６６に差し込まれる。このような蓋体展開シート２５の折り込みによって、上述した蓋体１５が作製される。
【００５６】
このとき、本実施形態では、正面縁壁シート部分２５０の内壁シート部分２５３にロックのための凹部１０７用の横長孔２０７が形成されている。そして、正面縁壁シート部分２５０の外壁シート部分２５２、内壁シート部分２５３における横長孔２０７の略中央には上述したロック解除のための貫通孔１０８用の丸孔２０８ａ，２０８ｂが設けられている。また、一対の他の壁シート部分２６１において、蓋体１５の形成時には互いに当接する先端縁には、上記の貫通孔１０８用の半円切り欠き２０８ｃが設けられている。上記のように多重壁の正面縁壁１５０が構成されると、２つの丸孔２０８ａ，２０８ｂが、一対の半円切り欠き２０８ｃで形成される丸孔に重なって、多重壁としての正面縁壁１５０を貫通する貫通孔１０８が形成される。また、このときには、一対の他の壁シート部分２６１が、横長孔２０７における丸孔２０８ｂ以外の部分を遮り、これを底とした凹部１０７が形成される。
【００５７】
また、上記の箱本体シート部分２１では、正面壁シート部分２２０、及び、一対の側面壁シート部分２３０において、山折り目２２１，２３１を挟んだ領域が、上記の重複壁部分１４０を構成する重複壁シート部分２７０となる。重複壁シート部分２７０は、正面壁シート部分２２０に位置する正面重複壁シート部分２７１（第２シート部分）、及び、側面縁壁シート部分２６０に位置する側面重複壁シート部分２７２で構成されている。そして、正面重複壁シート部分２７１における外壁シート部分２２２の部分に、上述したロック用のスリット２０３が形成されている。さらに、山折り目２２１における内壁側の折り目２２１ａの略中央に、上述したロック用の曲り折り目２２１ｃが形成されている。山折り目２２１で折り畳まれて二重壁としての正面壁１２０が形成されることで、スリット２０３の対向する内縁のうち山折り目に近い側の内縁が、曲り折り目２２１ｃに沿って突出してロック用の突出端縁１０４ｃが形成される。
【００５８】
このように図５の蓋付き箱展開体２を折り畳むことで、図１〜図４に示されている蓋付き箱１が作製されることとなる。
【００５９】
以上に説明した第１実施形態の蓋付き箱１では、箱本体１１に設けられた突出端縁１０４ｃが蓋体１５に設けられた凹部１０７に進入してその延在内縁１０７ａに係止することで、閉蓋時のロック状態が構成される。このとき、突出端縁１０４ｃは、二重壁の山折り目１２１が有する曲り折り目１２１ｃに沿った正面壁１２０の外壁１２２の歪みを利用してスリット１０３の内縁を突出させたものとなっている。このため、この突出端縁１０４ｃは、その先端側から掛かる力に対して高い強度を有するものとなっている。また、本実施形態では、突出端縁１０４ｃが延在内縁１０７ａに係止するように構成されている。このため、突出端縁１０４ｃと延在内縁１０７ａとの縁どうしの係止によって、点状ではなく線状の広い係止範囲を確保することができる。このように、本実施形態によれば、突出端縁１０４ｃの高い強度と、突出端縁１０４ｃと延在内縁１０７ａとの係止範囲の広さと、の２点により、閉蓋時に高いロック強度を得ることができる。
【００６０】
ここで、本実施形態では、山折り目１２１は互いに並走して延びる２本の折り目１２１ａ，１２１ｂで構成されており、曲り折り目１２１ｃは、外壁１２２の端縁をなす折り目１２１ａに設けられている。２本の折り目１２１ａ，１２１ｂで山折り目１２１を構成することで、スリット１０３が設けられる正面壁１２０についても高い強度を得ることができるので、閉蓋時に一層高いロック強度を得ることができる。
【００６１】
また、本実施形態では、閉蓋時における延在内縁１０７ａに対する突出端縁１０４ｃの係止を、ユーザに押圧されることで解除する係止解除部としての突起部１０４ｂが突出端縁１０４ｃの近傍に設けられている。これにより、ユーザは、開蓋時における蓋体１５のロックの解除を、突起部１０４ｂを押圧することで容易に行なうことができる。
【００６２】
また、本実施形態では、蓋体１５は、蓋壁１０５の周縁の一部が箱本体１１の開口１１ａの縁に連結され、その連結箇所をヒンジ中心として回動されるものとなっている。これにより、蓋体１５が箱本体１１と一体となっているので蓋体１５の紛失などの懸念が解消される他、蓋体１５の開閉を上記の回動という簡単な操作で行うことができる。
【００６３】
また、上述した本実施形態の蓋付き箱展開体２によれば、山折り目２２１で折り畳んで二重壁としての正面壁１２０を形成しつつ蓋付き箱１が作製される。これにより、突出端縁１０４ｃの高い強度と、突出端縁１０４ｃと延在内縁１０７ａとの係止範囲の広さと、の２点により、閉蓋時のロック強度が高い蓋付き箱１を得ることができる。
【００６４】
次に、第２実施形態について説明する。第２実施形態は、ロック用の凹部及びスリットの位置が上述の第１実施形態とは異なっている。以下、第２実施形態について、この第１実施形態の相違点に注目して説明する。
【００６５】
（第２実施形態）
図６は、本発明の第２実施形態における第１実施形態との相違点ついて、蓋付き箱展開体を用いて示す図である。尚、この図６では、図５に示されている構成要素と同等な構成要素については図５と同じ符号が付されている。以下では、それら同等な構成要素についての重複説明を割愛する。また、この図６では、それら同等な構成要素のうち、第１実施形態との相違点に関連したものにのみ符号が付されている。
【００６６】
図６にも、図１及び図２と同様のＸ軸方向とＹ軸方向とＺ軸方向とが示されている。また、この図６には、蓋付き箱展開体３が、箱本体を内側から見つつ展開したときの状態で示されている。
【００６７】
この蓋付き箱展開体３では、第１実施形態とは異なり、箱本体展開シート３１において、周壁シート部分３０２の一対の側面壁シート部分３３０それぞれにロック用のスリット３０３が形成されている。つまり、スリット３０３は、重複壁シート部分３７０のうち各側面壁シート部分３３０に位置する側面重複壁シート部分３７２に形成されている。スリット３０３の形状は、上述した第１実施形態のスリット２０３と同等である。
【００６８】
そして、一対の側面壁シート部分３３０それぞれの山折り目３３１における内壁側の折り目３３１ａに、上述したロック用の曲り折り目３３１ｃが形成されている。山折り目３３１で折り畳まれて二重壁としての正面壁が形成されることで、スリット３０３における山折り目に近い側の内縁が、曲り折り目３３１ｃに沿って突出してロック用の突出端縁が形成される。
【００６９】
このような箱本体展開シート３１による箱本体の作製は、第１実施形態と同様に行われる。まず、背面壁シート部分２１０、正面壁シート部分２２０、及び一対の側面壁シート部分３３０が、繋ぎシート部分２４０を折り込みながら底壁シート部分２０１から折り起こされる。そして、正面壁シート部分２２０、及び一対の側面壁シート部分３３０が、各山折り目２２１，３３１で折り畳まれる。そして、この折り畳みの際に上述したように突出端縁が形成される。
【００７０】
他方、蓋体展開シート３５では、縁壁シート部分３０６における一対の側面縁壁シート部分３６０（第１シート部分）にロックのための凹部用の横長孔３０７と、ロック解除のための貫通孔用の丸孔３０８ａ，３０８ｂが設けられている。
【００７１】
このため、本実施形態では、側面縁壁シート部分３６０が２本の折り目３６１ａ,３６１ｂからなる山折り目３６１で折り畳まれるようになっている。この側面縁壁シート部分３６０の内壁シート部分３６３に横長孔３０７が形成され、その略中央に丸穴３０８ｂが形成されている。そして、外壁シート部分３６２において、側面縁壁シート部分３６０が折り畳まれたときに内壁シート部分３６３の丸穴３０８ｂと重なる位置に丸穴３０８ａが形成されている。さらに、内壁シート部分３６３には、山折り目３６１とは反対側の端縁に設けられた折り目３６４を境界線として台形状の貼付壁シート部分３６５が面一状に繋がっている。この貼付壁シート部分３６５は、側面縁壁シート部分３６０が折り畳まれたときに蓋壁シート部分３０５に沿って延出し、この蓋壁シート部分３０５に接着される。
【００７２】
一方、この蓋体展開シート３５における正面縁壁シート部分３５０は、蓋壁シート部分３０５の一辺に設けられた折り目３５１を境界線として面一状に繋がり、この折り目３５１で折り起こされて一枚壁の正面縁壁を構成する。このとき、この正面縁壁シート部分３５０の一対の側縁からは、各側縁に設けられた折り目３５２を境界線として他の壁シート部分３５３が延出している。他の壁シート部分３５３は、側面縁壁シート部分３６０が折り畳まれるときにその外壁シート部分３６２と内壁シート部分３６３との間に挟まれる。これにより、多重壁として側面縁壁が構成される。また、他の壁シート部分３５３には、上記のように挟まれたときに、丸穴３０８ａ，３０８ｂと重なる位置に先端半円切り欠き３０８ｃが形成されている。上記のように多重壁の側面縁壁が構成されると、２つの丸孔３０８ａ，３０８ｂが、先端半円切り欠き３０８ｃに重なって、多重壁としての側面縁壁を貫通する貫通孔が形成される。また、このときには、他の壁シート部分３５３が、横長孔３０７における丸孔３０８ｂ以外の部分を遮り、これを底とした凹部が形成される。
【００７３】
このような蓋体展開シート３５による蓋体の作製は、次のように行われる。まず、正面縁壁シート部分３５０、及び一対の側面縁壁シート部分３６０が蓋壁シート部分３０５から折り起こされる。そして、一対の側面縁壁シート部分３６０それぞれが、間に他の壁シート部分３５３を挟んで山折り目３６１で折り畳まれる。その後、各側面縁壁シート部分３６０の貼付壁シート部分３６５が蓋壁シート部分３０５に接着される。これにより、箱本体展開シート３１による箱本体に、ヒンジ中心としての折り目２８で回動する蓋体が作製される。閉蓋時には、蓋体は、正面重複壁シート部分２７１及び一対の側面重複壁シート部分３７２からなる重複壁シート部分３７０による重複壁部分に重なる。そして、一対の側面重複壁部分に形成された突出端縁が、蓋体の側の凹部に係止してロック状態となる。
【００７４】
以上に説明した第２実施形態によっても、第１実施形態と同様に、蓋付き箱展開体３で作成される蓋付き箱において閉蓋時に高いロック強度を得ることができることは言うまでもない。
【００７５】
次に、第３実施形態について説明する。第３実施形態は、ロック用のスリットにおける突出端縁を突出させるための構造が上述の第１実施形態とは異なっている。以下、第３実施形態について、この第１実施形態の相違点に注目して説明する。
【００７６】
（第３実施形態）
図７は、本発明の第３実施形態においてロック用のスリットにおける突出端縁を突出させるための構造を示す部分斜視図である。この図７には、図１と同様のＸ軸方向とＹ軸方向とＺ軸方向とが示されている。
【００７７】
本実施形態では、ロック用のスリット４０３における突出端縁４０３ａが、山折り目４２１に設けられた次のような構造によって突出する。即ち、山折り目４２１には、スリット４０３の突出端縁４０３ａを突出させるために、外側に凸となった曲り折り目４２１ａと、反対側に凸となった逆曲り折り目４２１ｂと、が設けられている。山折り目４２１は、部分的にこれら２つの折り目で構成されたものとなっている。
【００７８】
まず、曲り折り目４２１ａは、山折り目４２１に次のように設けられている。曲り折り目４２１ａは、折畳みによって形成される二重壁４２０の外壁４２２に沿うとともに山折り目４２１に直交する矢印Ｖ４１方向から見たときに、全体がスリット４０３と重なる範囲Ａｒ４１に設けられている。そして、曲り折り目４２１ａは、この範囲Ａｒ４１に、外側に向かって凸となるように曲折した形状を有している。その曲折形状は、上記の範囲Ａｒ４１の一方の端部近傍から外側に向かって斜行した後に折れ曲がって内側の逆曲り折り目４２１ｂと並走し、その後、上記の範囲Ａｒ１１の他方の端部近傍へと内側に向かって斜行した台形状となっている。逆曲り折り目４２１ｂは、この曲り折り目４２１ａとは略線対称に、内側に向かって凸となるように曲折した台形状となっている。
【００７９】
このような曲り折り目４２１ａ及び逆曲り折り目４２１ｂを有する山折り目４２１で折り畳まれて二重壁４２０が形成されると、その外壁４２２に歪みが生じる。歪みは、外壁４２２おける曲り折り目４２１ａの近傍部分に、外側に凸となるように生じる。この歪みによって、スリット４０３における山折り目４２１に近い側の内縁が、曲り折り目４２１ａに沿って外方向Ｄ４３に突出する。そして、スリット４０３の内縁においてロック解除用の突起部４０４を左右に挟むように一対が位置して外方向Ｄ４３に突出した突出端縁４０３ａが、閉蓋時に、不図示の蓋体の凹部における延在内縁に係止する。
【００８０】
図８は、図７に示されている二重壁の展開形状を示す図である。図８にも、図７と同様のＸ軸方向とＹ軸方向とＺ軸方向とが示されている。
【００８１】
この展開形状では、二重壁４２０を構成する二重壁シート部分５２０が、外壁４２２を構成する外壁シート部分５２２と、内壁４２３を構成する内壁シート部分５２３と、を備えている。これら２つのシート部分は山折り目５２１を境界線として面一状に繋がっている。外壁シート部分５２２には、ロック用のスリット５０３が形成されている。さらに、山折り目５２１の略中央に、ロック用の曲り折り目５２１ａと逆曲り折り目５２１ｂとが設けられている。山折り目５２１で折り畳まれて二重壁４２０が形成されることで、スリット５０３における山折り目に近い側の内縁が、曲り折り目５２１ａに沿って突出してロック用の突出端縁４０３ａが形成される。
【００８２】
以上に説明した第３実施形態でも、上述した第１実施形態と同様に、閉蓋時に高いロック強度を得ることができることは言うまでもない。
【００８３】
また、本実施形態では、山折り目４２１の略中央が２本の折り目で構成されており、その一方が外側に凸の曲り折り目４２１ａ、他方が内側に凸の逆曲り折り目４２１ｂとなっている。逆曲り折り目４２１ｂを設けることにより、外壁４２２により大きな歪みを生じさせて突出端縁４０３ａの突出量を大きくすることができる。これにより、閉蓋時に更に高いロック強度を得ることができる。
【００８４】
次に、第４実施形態について説明する。第４実施形態は、上述した第３実施形態に対する変形例である。この第４実施形態は、二重壁を構成するための山折り目が第３実施形態とは異なっている。以下、第４実施形態について、この第３実施形態の相違点に注目して説明する。
【００８５】
（第４実施形態）
図９は、本発明の第４実施形態における二重壁を示す部分斜視図である。図１０は、図９に示されている二重壁の展開形状を示す図である。尚、図９及び図１０では、第３実施形態について示す図７及び図８に示されている構成要素と同等な構成要素は、図７及び図８と同じ符号が付されており、以下では、それら同等な構成要素についての重複説明を割愛する。
【００８６】
図９及び図１０にも、図７及び図８と同様のＸ軸方向とＹ軸方向とＺ軸方向とが示されている。
【００８７】
本実施形態では、第３実施形態とは異なり、二重壁６２０において、ロック用のスリット４０３の内縁を突出させて突出端縁４０３ａを形成させるための曲り折り目６２１ａが、山折り目６２１の全長に亘って設けられている。また、反対側の逆曲り折り目６２１ｂも、同様に山折り目６２１の全長に亘って設けられている。また、曲り折り目６２１ａ及び逆曲り折り目６２１ｂそれぞれの形状は、第３実施形態における曲り折り目４２１ａや逆曲り折り目４２１ｂのような台形状とは異なり、円弧状の湾曲形状となっている。
【００８８】
図１０に示されている展開形状では、二重壁シート部分７２０において外壁シート部分７２２と内壁シート部分７２３との境界となる山折り目７２１が次のように形成されている。即ち、この山折り目７２１は、その全長に亘って円弧状に湾曲した曲り折り目７２１ａと逆曲り折り目７２１ｂとで構成されている。このような山折り目７２１で二重壁シート部分７２０が折り畳まれて二重壁６２０が形成されることで、スリット５０３の内縁が突出し、上述した突出端縁４０３ａが形成される。
【００８９】
以上に説明した第４実施形態でも、上述した第３実施形態と同様に、閉蓋時に高いロック強度を得ることができることは言うまでもない。
【００９０】
また、本実施形態では、山折り目６２１が全長に亘って２本の折り目で構成されており、その一方が外側に凸の曲り折り目６２１ａ、他方が内側に凸の逆曲り折り目６２１ｂとなっている。全長に亘る曲り折り目６２１ａ及び逆曲り折り目６２１ｂを設けることにより、外壁６２２により大きな歪みを生じさせて突出端縁４０３ａの突出量を大きくすることができる。これにより、閉蓋時に更に高いロック強度を得ることができる。
【００９１】
次に、第５実施形態について説明する。第５実施形態も、上述した第３実施形態に対する変形例である。この第５実施形態も、二重壁を構成するための山折り目が第３実施形態とは異なっている。以下、第４実施形態について、この第３実施形態の相違点に注目して説明する。
【００９２】
（第５実施形態）
図１１は、本発明の第５実施形態における二重壁を示す部分斜視図である。図１２は、図１１に示されている二重壁の展開形状を示す図である。尚、図１１及び図１２では、第３実施形態について示す図７及び図８に示されている構成要素と同等な構成要素は、図７及び図８と同じ符号が付されており、以下では、それら同等な構成要素についての重複説明を割愛する。
【００９３】
図１１及び図１２にも、図７及び図８と同様のＸ軸方向とＹ軸方向とＺ軸方向とが示されている。
【００９４】
本実施形態では、第３実施形態とは異なり、二重壁８２０を外壁８２２と内壁８２３とに分ける山折り目８２１が１本の折り目で構成されている。そして、山折り目８２１の略中央部に曲り折り目８２１ａが設けられている。この曲り折り目８２１ａは、二重壁８２０における外壁８２２に沿うとともに山折り目８２１に直交する矢印Ｖ８１方向から見たときに、全体がスリット４０３と重なる範囲Ａｒ８１に設けられている。この曲り折り目８２１ａは、１本の折り目から成る山折り目８２１における上記範囲Ａｒ８１の部分が、外方向Ｄ４３に凸に円弧状に湾曲したものである。
【００９５】
図１２に示されている展開形状では、二重壁シート部分９２０において外壁シート部分９２２と内壁シート部分９２３との境界となる山折り目９２１が次のように形成されている。即ち、この山折り目９２１は１本の折り目で構成され、外壁シート部分９２２に形成されたスリット５０３に対応した部分が、スリット５０３に向かって凸に円弧状に湾曲した曲り折り目９２１ａとなっている。このような山折り目９２１で正面壁シート部分９２０が折り畳まれて二重壁８２０が形成されることで、スリット５０３の内縁が突出し、上述した突出端縁４０３ａが形成される。
【００９６】
以上に説明した第５実施形態の蓋付き箱８でも、上述した第３実施形態と同様に、閉蓋時に高いロック強度を得ることができることは言うまでもない。
【００９７】
尚、前述した第１〜第５実施形態は本発明の代表的な形態を示したに過ぎず、本発明は、これらの実施形態に限定されるものではない。即ち、当業者は、従来公知の知見に従い、本発明の骨子を逸脱しない範囲で種々変形して実施することができる。かかる変形によってもなお本発明の蓋付き箱の構成を具備する限り、勿論、本発明の範疇に含まれるものである。
【００９８】
例えば、前述した第１〜第５実施形態では、本発明にいう蓋付き箱の一例として、段ボール紙製の蓋付き箱１が例示されている。しかしながら、本発明にいう付き箱は、段ボール紙製に限るものではなく、例えば厚紙製や樹脂シート製のもの等、その具体的な材料を問うものではない。
【００９９】
また、前述した第１〜第５実施形態では、本発明にいう蓋付き箱の一例として、直方体形状の蓋付き箱１が例示されている。しかしながら、本発明にいう蓋付き箱は、これらに限るものではなく、例えば、直方体以外の多角柱形状や円柱形状等、具体的な箱形状を問うものではない。
【０１００】
また、前述した第１〜第５実施形態では、本発明にいう蓋付き箱の一例として、蓋体１５に凹部１０７が設けられ、箱本体１１に突出端縁１０４ｃが設けられた蓋付き箱１が例示されている。しかしながら、しかしながら、本発明にいう蓋付き箱は、これに限るものではない。本発明にいう蓋付き箱は、蓋体に突出端縁が設けられ、箱本体に凹部が設けられたもの等であってもよい。
【０１０１】
また、前述した第１〜第５実施形態では、本発明にいう蓋付き箱の一例として、箱本体１１と、蓋体１５と、が一体となった蓋付き箱１が例示されている。しかしながら、本発明にいう蓋付き箱は、これに限るものではない。本発明にいう蓋付き箱は、箱本体と蓋体とが別体となったものであってもよい。
【０１０２】
また、前述した第１〜第５実施形態では、本発明にいう蓋付き箱の一例として、突出端縁１０４ｃが凹部１０７の延在内縁１０７ａに係止する蓋付き箱１が例示されている。しかしながら、本発明にいう蓋付き箱は、これに限るものではない。本発明にいう蓋付き箱は、突出端縁が凹部ではなく貫通孔の延在内縁に係止するもの等であってもよい。
【０１０３】
また、前述した第１〜第５実施形態では、本発明にいう係止解除部の一例として、閉蓋時の蓋体１５の貫通孔１０８から視認される突起部１０４ｂが例示されている。しかしながら、本発明にいう係止解除部はこれに限るものではない。本発明にいう係止解除部は、ユーザに押圧されることで係止を解除するものであれば、蓋体の縁壁から外れた、箱本体の周壁の一部等であってもよく、具体的な態様を問うものではない。
【０１０４】
また、前述した第１〜第５実施形態では、本発明にいう延在内縁及び突出端縁の各一例として、直線状の延在内縁１０７ａ及び直線状の突出端縁１０４ｃ，４０３ａが例示されている。尚、これらの実施形態にいう「直線状」とは、凹部やスリットが設けられる壁の面内方向に直線状に延在するという意味である。例えばこの壁が湾曲していたり折れ曲がっていたりする場合には、その壁の形状に沿って曲りつつも壁の面内方向には真っ直ぐに延在することを意味している。ただし、本発明にいう延在内縁及び突出端縁は、この面内方向の形状についても直線状に限るものではない。本発明にいう延在内縁及び突出端縁は、蓋体の開閉方向に対する交差方向に延在するものであれば、壁の面内方向においても湾曲していたり折れ曲がっていたりしてもよく具体的な延在形状は任意に設定し得る。
【符号の説明】
【０１０５】
１    蓋付き箱
２，３    蓋付き箱展開体
１１    箱本体
１５    蓋体
１１ａ    開口
２１，３１    箱本体展開シート
２５，３５    蓋体展開シート
１０１    底壁
１０２    周壁
１２０    正面壁
１２１，２２１，３３１，４２１，５２１，６２１，７２１，８２１，９２１    山折り目
１２１ａ，１２１ｂ，２２１ａ，２２１ｂ    折り目
１２１ｃ，２２１ｃ，３３１ｃ，４２１ａ，５２１ａ，６２１ａ，７２１ａ，８２１ａ，９２１ａ    曲り折り目
１４０    重複壁部分
１４１    正面重複壁部分（第２壁）
１０３，２０３，３０３，４０３，５０３    スリット
１０４    舌片
１０４ｃ，４０３ａ    突出端縁
１０４ｂ，４０４    突起部（係止解除部）
１０５    蓋壁
１０６    縁壁
１５０    正面縁壁（第１壁）
１０７    凹部
１０７ａ    延在内縁
１０８    貫通孔
２０１    底壁シート部分
２０２，３０２    周壁シート部分
２２０    正面壁シート部分
２７０    重複壁シート部分
２７１    正面重複壁シート部分
２０５    蓋壁シート部分
２０６    縁壁シート部分
２５０    正面縁壁シート部分
２０７，３０７    横長孔
２０８ａ，２０８ｂ，３０８ａ，３０８ｂ    丸孔
３３０    側面壁シート部分
３７２    側面重複壁シート部分
３６０    側面縁壁シート部分
４２０，６２０，８２０    二重壁
５２０，７２０，９２０    二重壁シート部分
４２１ｂ，５２１ｂ，６２１ｂ，７２１ｂ    逆曲り折り目
Ｄ１１    開閉方向
Ｄ１２    交差方向
Ｄ１３，Ｄ４３，    外方向
【図１】
2019131213.tif 000003
【図２】
2019131213.tif 000004
【図３】
2019131213.tif 000005
【図４】
2019131213.tif 000006
【図５】
2019131213.tif 000007
【図６】
2019131213.tif 000008
【図７】
2019131213.tif 000009
【図８】
2019131213.tif 000010
【図９】
2019131213.tif 000011
【図１０】
2019131213.tif 000012
【図１１】
2019131213.tif 000013
【図１２】
2019131213.tif 000014
【手続補正書】
【提出日】平成31年3月29日(2019.3.29)
【手続補正１】
【補正対象書類名】明細書
【補正対象項目名】０００６
【補正方法】変更
【補正の内容】
【０００６】
上記目的を達成するために、本発明の蓋付き箱は、有底筒状の箱本体と、当該箱本体の開口を開閉自在に覆う蓋体と、を備える蓋付き箱であって、前記蓋体が、閉蓋時に前記開口を覆う蓋壁と、前記閉蓋時には前記箱本体の周壁における重複壁部分に外側から重なるように、前記蓋壁の周縁の少なくとも一部に立設された縁壁と、を備え、前記縁壁及び前記重複壁部分のうちの第１壁には、前記蓋体の開閉方向に対する交差方向に延在する延在内縁を有した凹部又は孔部が設けられ、前記縁壁及び前記重複壁部分のうちの第２壁が、前記縁壁における前記蓋壁とは反対側の端縁又は前記重複壁部分における前記開口側の端縁を山折り目として折り畳まれた二重壁又は当該二重壁の間に他の壁部分が挟まれた多重壁であり、前記二重壁における一方の壁には、前記交差方向に少なくとも一部が延在するスリットが前記山折り目から離れた位置に形成され、前記山折り目が、前記一方の壁に沿うとともに前記山折り目に直交する方向から見たときに少なくとも一部が前記スリットと重なる範囲に、前記閉蓋時に前記第１壁へと向かって凸となるように湾曲又は曲折した曲り折り目を有しており、前記山折り目で折り畳まれて前記二重壁が形成されることで前記一方の壁に前記曲り折り目に沿って面外方向に凸となるように生じる歪によって、前記スリットの対向する内縁のうち前記山折り目に近い側の内縁が、前記閉蓋時に前記第１壁へと向かう方向の突出形状に拘束された突出端縁となっており、当該突出端縁が、前記閉蓋時には前記凹部又は前記孔部に進入して前記延在内縁に係止することを特徴とする。
【手続補正２】
【補正対象書類名】特許請求の範囲
【補正対象項目名】全文
【補正方法】変更
【補正の内容】
【特許請求の範囲】
【請求項１】
有底筒状の箱本体と、当該箱本体の開口を開閉自在に覆う蓋体と、を備える蓋付き箱であって、
前記蓋体が、閉蓋時に前記開口を覆う蓋壁と、前記閉蓋時には前記箱本体の周壁における重複壁部分に外側から重なるように、前記蓋壁の周縁の少なくとも一部に立設された縁壁と、を備え、
前記縁壁及び前記重複壁部分のうちの第１壁には、前記蓋体の開閉方向に対する交差方向に延在する延在内縁を有した凹部又は孔部が設けられ、
前記縁壁及び前記重複壁部分のうちの第２壁が、前記縁壁における前記蓋壁とは反対側の端縁又は前記重複壁部分における前記開口側の端縁を山折り目として折り畳まれた二重壁又は当該二重壁の間に他の壁部分が挟まれた多重壁であり、
前記二重壁における一方の壁には、前記交差方向に少なくとも一部が延在するスリットが前記山折り目から離れた位置に形成され、
前記山折り目が、前記一方の壁に沿うとともに前記山折り目に直交する方向から見たときに少なくとも一部が前記スリットと重なる範囲に、前記閉蓋時に前記第１壁へと向かって凸となるように湾曲又は曲折した曲り折り目を有しており、
前記山折り目で折り畳まれて前記二重壁が形成されることで前記一方の壁に前記曲り折り目に沿って面外方向に凸となるように生じる歪によって、前記スリットの対向する内縁のうち前記山折り目に近い側の内縁が、前記閉蓋時に前記第１壁へと向かう方向の突出形状に拘束された突出端縁となっており、当該突出端縁が、前記閉蓋時には前記凹部又は前記孔部に進入して前記延在内縁に係止することを特徴とする蓋付き箱。
【請求項２】
前記山折り目は、前記二重壁における前記一方の壁の端縁と、当該一方の壁と対面する他方の壁の端縁と、を各々が構成するように互いに並走して延びる２本の折り目を有しており、
前記曲り折り目は、前記２本の折り目のうち、前記一方の壁の端縁をなす折り目に設けられていることを特徴とする請求項１に記載の蓋付き箱。
【請求項３】
前記２本の折り目のうち、前記他方の壁の端縁をなす折り目には、前記曲り折り目に対応した位置で当該曲り折り目とは反対側に凸となるように湾曲又は曲折した逆曲り折り目が設けられていることを特徴とする請求項２に記載の蓋付き箱。
【請求項４】
前記曲り折り目が、前記山折り目の全長に亘って設けられていることを特徴とする請求項１〜３のうち何れか一項に記載の蓋付き箱。
【請求項５】
前記閉蓋時における前記延在内縁に対する前記突出端縁の係止を、ユーザに押圧されることで前記延在内縁及び前記突出端縁のうちの一方を、他方から離す方向へと案内して解除する係止解除部が、前記延在内縁の近傍又は前記突出端縁の近傍に設けられていることを特徴とする請求項１〜４のうち何れか一項に記載の蓋付き箱。
【請求項６】
前記蓋体は、前記蓋壁の前記周縁の一部が前記箱本体の前記開口の縁に連結され、その連結箇所をヒンジ中心として回動されるものであることを特徴とする請求項１〜５のうち何れか一項に記載の蓋付き箱。